(57)【要約】【課題】より簡単な構造の電磁リレーの提供。【解決手段】共通のリセプタクル４に挿入された２個のリレーアクチュエータ２，３を有する２連リレーを開示する。各リレーアクチュエータ２，３は、第１固定コンタクト１８及び可動コンタクト１１を有する。リセプタクル上に配置されているのは、各々がリレーアクチュエータ２，３の可動コンタクト１１に関連する２個の第２固定コンタクト２５，３４である。リセプタクル４は複数の接続ピンを有し、これらの接続ピンにより、電気コンタクトがリセプタクルーアクチュエータ２，３及び第２固定コンタクト２５，２４と共に製造される。２連リレーは低コストで製造可能である。【選択図】図２
2005222946.tif 000002
【特許請求の範囲】
【請求項１】
リレーアクチュエータを具備する電磁リレーであって、前記リレーアクチュエータは、第１コンタクトと、アーマチュアを有するアーマチュアばねに取り付けられた可動コンタクトと、第１及び第２端子とを有し、該第１端子は前記第１コンタクトと導電接続し、前記第２端子は前記可動コンタクトと導電接続した電磁リレーにおいて、
前記リレーアクチュエータが取り付けられると共に電気接続ピンを有するリセプタクルが設けられ、
前記接続ピンは前記リレーアクチュエータの電気端子と接触し、
前記リセプタクルには、前記可動コンタクトに関連した第２コンタクトが固定され、
前記リセプタクルは、前記第２コンタクトに導電接続された別の接続ピンを有し、
前記アーマチュアばねは、前記リレーアクチュエータを通る電流に応じて前記可動コンタクトを前記第１及び第２コンタクトのいずれかに当接させることを特徴とする電磁リレー。
【請求項２】
前記リセプタクルに第２リレーアクチュエータが取り付けられ、
該第２リレーアクチュエータは前記リレーアクチュエータとほぼ同一であり、
前記リセプタクルは別の第２コンタクトを有し、
該別の第２コンタクトは、前記第２リレーアクチュエータの可動コンタクトに関連することを特徴とする請求項１記載の電磁リレー。
【請求項３】
前記第２コンタクトは、前記リセプタクルの前記別の接続ピンと導電接続することを特徴とする請求項２記載の電磁リレー。
【請求項４】
前記第２コンタクト及び前記別の第２コンタクトは、前記リセプタクル内で互いに導電接続され、
前記第１及び第２リレーアクチュエータの前記第１固定コンタクトのコンタクトピンが、前記リセプタクル内で互いに導電接続されていることを特徴とする請求項２又は３記載の電磁リレー。
【請求項５】
前記リセプタクルは、前記リレーアクチュエータの鉄心の一端が挿入される凹部を有し、
該凹部に隣接して、前記リセプタクル内に接触面が埋設され、
該接触面は、前記リレーアクチュエータの接続ピン及び前記鉄心間で電気的に接触し、
該鉄心は、前記アーマチュアばねによって前記リレーアクチュエータの前記可動コンタクトと導電接続されていることを特徴とする請求項１ないし４のうちいずれか１項記載の電磁リレー。
【請求項６】
前記リセプタクルは、前記第２リレーアクチュエータの鉄心の一端が挿入される第２凹部を有し、
前記リセプタクルには第２接触面が埋設され、
前記第２接触面は前記第２凹部に隣接すると共に前記第２リレーアクチュエータの前記鉄心と導電接触し、
前記鉄心は、前記アーマチュアばねによって前記第２リレーアクチュエータの前記可動コンタクトに導電接続され、
前記第２接触面は接続ピンに接続されていることを特徴とする請求項５記載の電磁リレー。
【請求項７】
前記リセプタクルにコンタクト要素が埋設され、
該コンタクト要素は、前記リレーアクチュエータ及び前記第２リレーアクチュエータの一方又は両方の前記第１コンタクトと導電接続すると共に、接続ピンと導電接続することを特徴とする請求項４ないし６のうちいずれか１項記載の電磁リレー。
【請求項８】
前記リレーアクチュエータは、前記アーマチュアばねと導電接続するアーマチュアばねピンを有し、
該アーマチュアばねピンは、前記リセプタクルのピン開口を通って押圧されると共に端子ピンとして作用することを特徴とする請求項１ないし７のうちいずれか１項記載の電磁リレー。
【請求項９】
絶縁材料から製造される、２個のリレーアクチュエータ用のリセプタクルであって、
該リセプタクルには２個の固定コンタクトが埋設され、
前記２個の固定コンタクトは、前記リレーアクチュエータの可動コンタクトの相手コンタクトとして設けられ、
前記固定コンタクトは接続ピンと導電接続され、
前記リセプタクルには、前記２個のリレーアクチュエータの前記２個の固定コンタクトと導電接触するよう構成されたコンタクト要素があり、
該コンタクト要素は接続ピンと導電接続し、
前記リレーアクチュエータのコイルに電源を供給する電気端子が前記リセプタクルに埋設されていることを特徴とするリセプタクル。
【請求項１０】
前記リセプタクルには、前記リレーアクチュエータの可動コンタクトと電気的に接触するための２個の接触面が埋設され、
該２個の接触面は、互いに絶縁されると共に、それぞれ接続ピンと導電接続されていることを特徴とする請求項９記載のリセプタクル。
【請求項１１】
前記リセプタクルには、前記リレーアクチュエータの鉄心を受容するために２個の凹部が形成されていることを特徴とする請求項９又は１０記載のリセプタクル。
【請求項１２】
前記接触面のそれぞれは、前記鉄心及びアーマチュアばねと電気的に接触するために各前記凹部に隣接することを特徴とする請求項１１記載のリセプタクル。
【請求項１３】
前記リセプタクル内の前記コンタクト要素上に、前記２個のリレーアクチュエータの前記固定コンタクトと電気的に接触すると共に前記２個のリレーアクチュエータの前記固定コンタクトのコンタクトピンを導入するために、２個の別のコンタクト開口が形成されていることを特徴とする請求項９ないし１２のうちいずれか１項記載のリセプタクル。
【発明の詳細な説明】
【技術分野】
【０００１】
本発明は、特許請求の範囲の請求項１の前提要件に従った電磁リレー及び特許請求の範囲の請求項９の前提要件に従ったリセプタクルに関する。
【背景技術】
【０００２】
電磁リレーには多種の構造が公知である。例えば、電磁リレーは、自動車の電線路用の異なる切換え状態にするために自動車技術において使用される。リレーは、例えばハウジング内に収容された１個又は２個のリレーアクチュエータを有する。
【０００３】
特許文献１は、電磁リレー及びそのリレーの製造方法を開示する。電磁リレーは、電磁システム及びコイルを有するベース、コア構造並びにアーマチュアを具備する。アーマチュアはアーマチュアばねによりベース上に取り付けられている。ベースは切換え室の一部を構成する。切換え室に配置されているのは少なくとも１個の固定コンタクトを有するコンタクトシステムである。固定コンタクトに関連するのは、可動アーマチュアばね上に取り付けられた可動コンタクトである。さらに、第２固定コンタクトがベースに配置されている。可動コンタクトは、第１電磁リレーのコイルを流れる電流に応じて、２個の固定コンタクト間で切り換えられる。電磁システム及び切換え室はハウジング内に配置され、電磁システムの固定部及びベースの少なくとも所定部分は絶縁材料に埋設され、端子導体はハウジング壁を貫通して外部に案内される。
【０００４】
特許文献２は、２個の電磁コイルを有する切換えリレー及びその切換えリレーの製造方法を開示する。切換えリレーは互いに平行に配置された２個のリレーアクチュエータを有し、そのアーマチュアばねは互いに関連し、電磁コイルを流れる電流に応じて電磁コイル間の中央領域で第１又は第２の固定コンタクトに当接する。
【特許文献１】独国特許第１９９１７３３８号明細書
【特許文献２】独国特許出願公開第１０３０４６３８号明細書
【発明の開示】
【発明が解決しようとする課題】
【０００５】
本発明は、より簡単な構造の電磁リレーを提供することを目的とする。
【課題を解決するための手段】
【０００６】
上述の目的は、特許請求の範囲の請求項１に従った電磁リレー及び同請求項９に従ったリセプタクルにより達成される。
【０００７】
請求項１に係るリレーの利点は、リレーがリセプタクル内に取り付けられたリレーアクチュエータを有し、第１固定コンタクトがリレーアクチュエータ上に構成され、第２固定コンタクトがリセプタクル上に構成されていることからなる。リセプタクルは、リセプタクル上に固定的に取り付けられた、第２コンタクトと電気的に接触するよう作用する少なくとも１本の接続ピンを有する。
【０００８】
リセプタクル上の第２コンタクトの配置により、電磁リレーを製造するためにリセプタクル上に実装され、リレーアクチュエータの構造をより簡単にすることが可能になる。本実施形態は電磁リレーの小型構造を可能にし、２個のコンタクト間を導電接続することができる。
【０００９】
別の好適な一実施形態において、第２リレーアクチュエータはリセプタクル上に取り付けられ、第１リレーアクチュエータとほぼ同じ方法で構成される。また、別の第２コンタクトは、リセプタクル上に取り付けられると共に第２リレーアクチュエータのために第２固定コンタクトを代表する。ほぼ同一構造である２個のリレーアクチュエータの配置は、改良された機能を有する低コスト構造のリレーを意味する。
【００１０】
別の好適な一実施形態において、リセプタクルの第２コンタクト及び別のコンタクトの一方又は両方がリセプタクルの接続ピンと導電接続状態にある。このようにして、第２コンタクト及び別のコンタクトを確実に接触させる。
【００１１】
別の好適な一実施形態において、リセプタクルは凹部を有し、この凹部内にリレーアクチュエータの鉄心の一端が挿入される。凹部に隣接して、好適にはレーザ溶接により鉄心に接続された接触面がリセプタクル内に埋設されている。さらに接触面は、リセプタクルに埋設された接続ピンと導電接続した状態である。このようにして、リセプタクル内にリレーアクチュエータをより簡単に構成し且つ信頼性高く取り付けることが可能になる。
【００１２】
別の好適な一実施形態において、第２凹部が第１凹部と対称的な関係にリセプタクル内に形成され、同様の方法で、第２リレーアクチュエータのアーマチュアばねが第２凹部内の鉄心によって第２接触面と導電接触する。このようにして、共通のコンタクト要素によって第１及び第２のリレーアクチュエータのアーマチュアばねが簡単で信頼性の高く導電接触する。
【００１３】
好適には、第１リレーアクチュエータ及び第２リレーアクチュエータの一方又は両方の第１コンタクトは、リセプタクル内に埋設されたコンタクト要素によって接続ピンに導電接続される。
【００１４】
別の好適な一実施形態において、第１リレーアーマチュア及び第２リレーアーマチュアの一方又は両方は、第１コンタクト又はアーマチュアばねに導電接続された少なくとも１個のコンタクトピンを有し、このコンタクトピンはリセプタクルの開口を通って案内される。このようにして、リセプタクルが接続ピンを要することなく、コンタクトピン及びリレーアクチュエータ間が直接的に電気的接触する。
【００１５】
本発明に従ったリセプタクルの利点は、２個のリレーアクチュエータが簡単で低コストで信頼性の高い取付けを提供することである。この利点は、２個の固定コンタクトがリセプタクル内に埋設され、２個の固定コンタクトがリセプタクルーアクチュエータの可動コンタクト用の相手コンタクトとして設けられ、固定コンタクトが接続ピンに導電接続され、２個のリレーアクチュエータの２個の固定コンタクトと導電接触するよう構成されたコンタクト要素がリセプタクル内に埋設され、コンタクト要素は接続ピンに導電接続され、リレーアクチュエータのコイルに電力を供給するための電気端子がリセプタクル内に埋設されることで達成される。リセプタクルの別の有利な実施形態は従属項に記載されている。
【発明を実施するための最良の形態】
【００１６】
以下図面を参照して、本発明を詳細に説明する。
【００１７】
図１は、リセプタクルプレート４の形態のリセプタクルを示す斜視図である。このリセプタクルプレート４に対して第１リレーアクチュエータ２及び第２リレーアクチュエータ３が押圧されている。図示の実施形態において、第１及び第２のリレーアクチュエータ２，３は構造が同一であり、互いに平行に隣接して配置されている。リレーアクチュエータ２，３のアーマチュアばね１０（図２参照）は、リセプタクルプレート４の一方のコンタクト側に互いに隣接して配置されている。図１に示されたリレー１は、保護キャップが無い２連リレーを代表する。最終状態において、第１及び第２リレーアクチュエータ２，３は、リセプタクルプレート４に押圧される保護キャップによって覆われる。リセプタクルプレート４は、電気導体が埋設された絶縁材料で実質的に作成される。接続の目的のために、リセプタクルは、電源をリレーアクチュエータ２，３に接続し且つ切り換えるべきリレーアクチュエータ２，３のコンタクトを接続するよう作用する接続ピンを有する。
【００１８】
図２はリセプタクルプレート４を示す。第１リレーアクチュエータ２はリセプタクルプレート４にまだ挿入されていない。第１リレーアクチュエータ２は鉄心５を有するコイル７を具備し、コイル７の下端は極片６内に挿入されている。極片６は第１リレーアクチュエータ２のコンタクト側まで延びている。極片６の前に配置されているのは、アーマチュアばね１０によって第１リレーアクチュエータ２上に弾性的に取り付けられたアーマチュアプレート９である。アーマチュアばね１０は、第１リレーアクチュエータ２の上端面に固定された端子面１４を有する。端子面１４は、２本の曲がった可撓性アーム１５によって保持面１６で一つになる。保持面１６は、第１リレーアクチュエータ２のコンタクト側と平行に且つ端子面１４に対してほぼ直交して配置される。内側で保持面１６に固定されるのは、極片６に関連したアーマチュアプレート９である。保持面１６はアーマチュアプレート９を越えて下方に延び、コンタクトリベット１１が固定された接触面１７を有する。コンタクトリベット１１は、アーマチュアばね１０の接触面１７の一方の側に接触面を有する。接触面１７の内側に関連するのは、第１リレーアクチュエータ２に固定された第１固定コンタクト１８である。コンタクトリベット１１は可動コンタクトを代表する。
【００１９】
図３は、第１固定コンタクト１８の下から見た第１リレーアクチュエータ２の斜視図である。コイル７、極片６及び鉄心５は絶縁材料１９に埋設されている。第１リレーアクチュエータ２の下側から突出するのは、第１端子ピン２０及び第２端子ピン２１である。第１及び第２端子ピン２０，２１は第１リレーアクチュエータ２のコイル７の巻線に導電接続されている。第１固定コンタクト１８はコンタクトプレートの形態で構成され、第２コンタクトリベット（図示せず）は第１固定コンタクト１８の外側に配置されている。第２コンタクトリベットは、アーマチュアばね１０の第１コンタクトリベット１１と同じ高さで配置されている。第１固定コンタクト１８は、第１固定コンタクト１８と電気的に接触するよう作用する２個の突出したコンタクトピン２３，２４を有する。第２コンタクトリベットの代わりに、別のタイプのコンタクト片を設けてもよい。
【００２０】
図４は、第１リレーアクチュエータ２を通る断面図である。鉄心５はコイル７のキャビティを貫通し、上端領域において、アーマチュアプレート９の一端領域が当接する前側でヨーク１２と一体物となるよう構成される。アーマチュアプレート９はアーマチュアばね１０上に取り付けられ、ヨーク１２から極片６上の領域内に延びる。極片６は鉄心５に磁気結合され、第１リレーアクチュエータ２のコンタクト側まで延びる。アーマチュアばね１０は、第１固定コンタクト１８が第１リレーアクチュエータ２上に配置される領域に接触面１７と共に延びる。第１コンタクト１８の反対側には、リセプタクルプレート４上に取り付けられた第２固定コンタクト２５（図２参照）がある。コイル７を流れる電流に応じて、コンタクトリベット１１は、第１固定コンタクト１８又は第２固定コンタクト２５のいずれかと接触する。このようにして、鉄心５及び第１固定コンタクト１８の間、又は鉄心６及び第２固定コンタクト２５の間が導電接続される。第１及び第２リレーアクチュエータ２，３は好適には同一構造である。
【００２１】
図５は、下から見たリレー１を示す。リセプタクルプレート４は、第１及び第２リレーアクチュエータ２，３のコイル７に電力を供給するための第１接続ピン２６及び第２接続ピン２７を有する。第３接続ピン２８がリセプタクルプレート４に埋設され、第１及び第２リレーアクチュエータ２，３の第１固定コンタクト１８に導電接続される。第１隅領域に更に設けられるのは、第１リレーアクチュエータ２の鉄心５に導電接続される第４接続ピン２９である。反対側の隅領域には、第５接続ピン３１がリセプタクルプレート４に埋設され、第２リレーアクチュエータ３の鉄心５に導電接続される。第４及び第５接続ピン２９，３１の間には、第２固定コンタクト２５及びリセプタクルプレート４の別の第２固定コンタクト３４に導電接続された第６接続ピン３０が配置されている。第２固定コンタクト２５は第１リレーアクチュエータ２に関連し、別の第２固定コンタクト３４は第２リレーアクチュエータ３に関連する。
【００２２】
図６は、上から見たリセプタクルプレート４を示す斜視図である。第１リレーアクチュエータ２用に第１受容領域３２が設けられ、第２リレーアクチュエータ３用に第２受容領域３３が設けられる。第１及び第２の受容領域３２，３３は、実質的に三面枠により形成されている。各受容領域３２，３３において、第２固定コンタクト２５，３４はリセプタクルプレート４のコンタクト側にある。第２固定コンタクト２５及び別の第２固定コンタクト３４は、第６接続ピン３０に導電接続されており、それぞれ内面に別のコンタクトリベット３５を有する。第１及び第２受容領域３２，３３それぞれのベース領域には、第１及び第２凹部３６，３７が形成されている。第１及び第２凹部３６，３７は、第１及び第２リレーアクチュエータ２，３の鉄心５の端部領域を受容するよう作用する。
【００２３】
好適な一実施形態において、第１及び第２受容領域３２，３３のリセプタクルプレート４の隅領域に、第１及び第２端子ピン２０，２１を受容する開口３８がそれぞれ形成される。また、リセプタクルプレート４に２個の開口３８が設けられ、第１又は第２コンタクトピン２３，２４がこれら開口３８内にそれぞれ挿入することができる。本実施形態において、リレーアクチュエータの２本のコンタクトピン２３，２４の内の一方は、事前に摘み取られるか、又は設けられない。別の一実施形態において、第１及び第２コンタクトピン２３，２４用に２個の開口をそれぞれ設けることも可能である。第１及び第２端子ピン２０，２１、並びに第１及び第２コンタクトピン２３，２４の一方又は両方は、開口３８によって対応する接続ピンに導電接続される。
【００２４】
図７ないし図１１は、リセプタクルプレート４の製造を説明する、異なる工程を示す。図７に示される第１工程１００において、適当なコンタクト部品がリードフレーム４９から打ち抜かれる。図８に示される第２工程１１０において、第２固定コンタクト２５及び別の第２固定コンタクト３４用のコンタクト部品が端部領域で上方に曲げられる。第２固定コンタクト２５及び別の第２固定コンタクト３４は、それぞれ保持ウエブ３９及び中央の第６接続ピン３０によってリードフレーム４９上に取り付けられる。第４接続ピン２９及び第５接続ピン３１は、第２固定コンタクト２５及び別の第２固定コンタクト３４に対して横方向にそれぞれ配置され、第２固定コンタクト２５及び別の第２固定コンタクト３４を横方向に越えて延び、内側に向かって接触面４０，４１を有するよう構成される。第１接触面４０及び第２接触面４１の間で、コンタクト要素４２は、リードフレーム４９の反対側から殆ど第２固定コンタクト２５及び別の第２固定コンタクト３４まで突出する。コンタクト要素４２は２個のコンタクト開口４３を有する。これらコンタクト開口４３は、第１及び第２のリレーアクチュエータ２，３の第１コンタクトピン２３をそれぞれ受容するよう作用する。さらに、それぞれ第３接触面４４を有する２本の第１接続ピン２６及び２本の第２接続ピン２７が設けられる。
【００２５】
図９に示される第３工程１２０において、リセプタクルプレート４は射出成形工程で製造される。このために、リセプタクルプレート４は電気的に絶縁の材料で製造され、この間、第１及び第２受容領域３２，３３が形成される。第１凹部３６及び第２凹部３７は第１受容領域３２及び第２受容領域３３に形成される。第１及び第２接触面４０，４１は第１及び第２凹部３６，３７にそれぞれ隣接する。さらに、別の２個のコンタクト開口４５が、コンタクト要素４２のコンタクト開口４３の上であってリセプタクルプレート４のベースプレート内に形成される。別の２個のコンタクト開口４５は、２個のリレーアクチュエータ２，３の固定コンタクト１８の第１及び第２のコンタクトピン２３，２４を導入し且つ接触するよう作用する。別のコンタクト開口４５が形成されていない、固定コンタクトの別のコンタクトピン２３，２４はそれぞれ、リレーアクチュエータが製造される際に摘み取られるか又は形成されず、一方のリレーアクチュエータ２，３の固定コンタクト１８が第１又は第２のコンタクトピン２３，２４のみを有する。
【００２６】
次に、図１０に示される第４工程１３０において、端子ピンはリードフレーム４９から分離される結果、リセプタクルプレート４が保持ウエブ３９によってリードフレーム上に取り付けられるだけである。
【００２７】
次に、保持ウエブ３９が除去される。その際、図２に示されるように、第１及び第２リレーアクチュエータ２，３がリセプタクルプレート４内に挿入される。挿入時に、第１及び第２リレーアクチュエータ２，３の鉄心５、第１及び第２端子ピン２０，２１及び第１及び第２コンタクトピン２３，２４並びに関連する接続ピン間に導電的に接触する。加えて、第１及び第２リレーアクチュエータ２，３の鉄心５、第１及び第２端子ピン２０，２１、並びに第１及び第２コンタクトピン２３，２４の一方又は両方が、好適にはレーザによってリセプタクルプレート４に溶接される。さらに、リレーアクチュエータ２，３は、接着接続によってリセプタクルプレート４に取り付けられるのが好適である。
【００２８】
図１１は、リレーアクチュエータの別の実施形態を示す。アーマチュアばね１０がリレーアクチュエータ２の後側上を下方に延びており、アーマチュアばねピン５０に一体となる。これは、本実施形態において、アーマチュアばね１０がリセプタクルプレート４の接続ピンによってではなく、アーマチュアばねピン５０によって直接的に導電接触することを意味する。この目的のために、アーマチュアばねピン５０は、図１１に示されるように、リセプタクルプレート４のピン開口を通って案内される。本実施形態において、このようにリセプタクルプレート４の第４及び第５接続ピン２９，３１を不要にできる。
【図面の簡単な説明】
【００２９】
【図１】本発明の一実施形態に従った、２個のリレーアクチュエータを有するリセプタクルプレートを示す斜視図である。
【図２】挿入されたリレーアクチュエータと挿入位置の上に示された第２リレーアクチュエータを有する図１のリセプタクルプレートを示す斜視図である。
【図３】本発明の一実施形態に従ったリレーアクチュエータの斜視図である。
【図４】図３のリレーアクチュエータを通る断面図である。
【図５】２個のリレーアクチュエータが挿入されたリセプタクルプレートを下から見た斜視図である。
【図６】図１のリセプタクルプレートを上から見た斜視図である。
【図７】本発明の一実施形態に従ったリセプタクルプレートの製造方法の第１工程を示す斜視図である。
【図８】リセプタクルプレートの製造方法の第２工程を示す斜視図である。
【図９】リセプタクルプレートの製造方法の第３工程を示す斜視図である。
【図１０】リセプタクルプレートの製造方法の第４工程を示す斜視図である。
【図１１】本発明の一実施形態に従ったアーマチュアばねと電気的に接触するための端子ピンを有するリレーアクチュエータを示す斜視図である。
【符号の説明】
【００３０】
１    電磁リレー
２    リレーアクチュエータ
３    第２リレーアクチュエータ
４    リセプタクルプレート（リセプタクル）
５    鉄心
７    コイル
９    アーマチュアプレート（アーマチュア）
１０  アーマチュアばね
１１  コンタクトリベット（可動コンタクト）
１８  第１固定コンタクト（第１コンタクト）
２３  第１コンタクトピン（第１端子）
２４  第２コンタクトピン（第２端子）
２５  第２固定コンタクト（第２コンタクト）
２６  第１接続ピン（電気接続ピン）
２７  第２接続ピン（電気接続ピン）
２８  第３接続ピン
２９  第４接続ピン（電気接続ピン）
３０  第６接続ピン（別の接続ピン）
３１  第５接続ピン（電気接続ピン）
３４  別の第２固定コンタクト（第２コンタクト）
３６  第１凹部
３７  第２凹部
４０  接触面
４１  第２接触面
４２  コンタクト要素
４５  コンタクト開口
５０  アーマチュアばねピン
【図１】
2005222946.tif 000003
【図２】
2005222946.tif 000004
【図３】
2005222946.tif 000005
【図４】
2005222946.tif 000006
【図５】
2005222946.tif 000007
【図６】
2005222946.tif 000008
【図７】
2005222946.tif 000009
【図８】
2005222946.tif 000010
【図９】
2005222946.tif 000011
【図１０】
2005222946.tif 000012
【図１１】
2005222946.tif 000013